(57)【特許請求の範囲】
【請求項１】
幅面が鉛直面となるように背面から突き出る端子を有する水平方向に並置された複数の多相遮断器と、
前記遮断器の端子に該端子の突出し寸法が延長されるように取り付けられた接続板と、
前記接続板の上部に位置し該接続板を覆う水平面を有する上部カバーと、
前記接続板の延長端部を覆うように鉛直面を有する裏側カバーと、
を有する配電盤において、
前記裏側カバーは前記鉛直面から直角に曲げられた水平面を有し前記遮断器ごとに設けられ、
前記上部カバーはその前記水平面の前記接続板の延びる方向と直交する辺から２回折り曲げられて形成された該上部カバーの水平面と平行な絶縁部材取付面を有し、
前記接続板はその上辺において第１の絶縁部材を介して前記上部カバーの前記絶縁部材取付面に固定されるとともにその延長端部において第２の絶縁部材を介して前記裏側カバーの鉛直面に固定され、
前記裏側カバーはその水平面において前記上部カバーと着脱自在に一体化されていることを特徴とする配電盤。
【発明の詳細な説明】
【技術分野】
【０００１】
本発明は、遮断器の端子から延長されて取り付けられる比較的長い板状の接続板を覆うカバーを有する配電盤に関する。
【背景技術】
【０００２】
電気負荷容量の大きい船舶は複数の発電機を搭載し、各発電機に対応する複数の遮断器が配電盤に収納されている。このような遮断器には、いずれもその背面から突き出ている入力端子と出力端子を有しているものがあり、一つの入力端子ごとに発電機から比較的太い複数のケーブルが接続される。このケーブルを接続するために入力端子には、さらに裏面方向に延びる接続板が取り付けられることが多い。このような遮断器を取り付けた配電盤の従来の例が特開２００１−１７７９２３号公報に開示されている。
【０００３】
図３を参照して、この従来の配電盤の正面に水平方向に並置された３台の三相形の遮断器１００には、その背面から上側の端子１０１と下側の端子１０２が突き出るように設けられている。上側の端子１０１は中継導体１０３及び主母線１０４などを介して図示されていない負荷装置に接続されている。下側端子１０２はその幅面が鉛直面となるように設けられているとともに、ケーブルの接続面を増やすために配電盤の裏面方向に向けて接続板１０５が取り付けられている。この接続板１０５には図示されていない発電機からの複数のケーブルが接続される。
【０００４】
このような接続板１０５には、上方から金属物が落下することによる短絡事故や感電事故を防止する上部カバーや配電盤の裏面から誤って触れる感電事故を防止する裏側カバーが必要である。図３には上部カバーは明示されていないが、３台の遮断器に対応する接続板１０５を一括して覆う裏側カバー１０６が取り付けられている。
また、接続板１０５には、ケーブルを取り付けることによる外力や短絡電流が流れたときの反発力によって、各相間の所定の間隔が小さくならないようにしっかりと固定しておく必要がある。このため、接続板１０５の先端が碍子状の絶縁部材１０７を介して裏側カバー１０６に固定されるとともに、接続板１０５の上辺が碍子状の絶縁部材１０８を介して配電盤の左右両側板１１１に渡して設けられた枠部材１０９や板部材１１０に固定されている。
【特許文献１】特開２００１−１７７９２３号公報
【発明の開示】
【発明が解決しようとする課題】
【０００５】
上述した従来の配電盤は、配電盤の左右両側板からなる縦部材とこの縦部材に渡すように設けられる横部材を基本として構成されるものであって、裏側カバー１０６、枠部材１０９及び明示されていない上部カバーは、３台の遮断器に共用の横部材で構成されていた。
このため、１台の遮断器のケーブルの接続状態を点検したり、ケーブルの接続ボルトを増し締め保守を行う場合、裏側カバー１０６を取り外すときは３台の遮断器に対応する接続板が露出するため、点検保守する対象の遮断器以外の２台の遮断器に対応する発電機も停止させて非活線状態にする必要があった。また、裏側カバー１０６は、３台の遮断器に対応して横長であるため、取り外すときは配電盤の裏側扉を取り外す必要もあった。
【０００６】
さらに、この配電盤において、接続板１０５の取付強度を適正なものにするためには、絶縁部材１０８の取付位置（図３（ａ）において左右方向の取付位置。）や取付個数を適正なものにする必要がある。しかし、このためには、枠部材１０９の取付位置の調整や枠部材１０９に相当する追加の枠部材が必要であるという問題があった。
【０００７】
したがって、本願発明は、負荷装置への給電を停止することなく遮断器１台ごとに接続板への接続状態を安全、且つ、簡単に保守点検できるとともに、必要な強度で接続板を簡単に固定できる簡単な構造の配電盤を提供することを目的とする。
【課題を解決するための手段】
【０００８】
上記の問題を解決するために、請求項１の発明の配電盤は、幅面が鉛直面となるように背面から突き出る端子を有する水平方向に並置された複数の多相遮断器と、遮断器の端子に該端子の突出し寸法が延長されるように取り付けられた接続板と、接続板の上部に位置し該接続板を覆う水平面を有する上部カバーと、接続板の延長端部を覆うように鉛直面を有する裏側カバーと、を有する配電盤において、裏側カバーは鉛直面から直角に曲げられた水平面を有し遮断器ごとに設けられ、上部カバーはその水平面の接続板の延びる方向と直交する辺から２回折り曲げられて形成された該上部カバーの水平面と平行な絶縁部材取付面を有し、接続板はその上辺において第１の絶縁部材を介して上部カバーの絶縁部材取付面に固定されるとともにその延長端部において第２の絶縁部材を介して裏側カバーの鉛直面に固定され、裏側カバーはその水平面において上部カバーと着脱自在に一体化されていることを特徴としている。
【発明の効果】
【０００９】
請求項１の発明は、接続板を第１の絶縁部材を介して上部カバーの絶縁部材取付面に固定する構成であるため、固定すべき位置や固定すべき位置の数に応じた絶縁部材取付面を有する上部カバーを使用するだけで、簡単な構造で簡単に接続板を適切な強度で固定できるという効果を奏する。
また、１台の遮断器に対応する接続板の接続状態を点検したり保守するときも、配電盤の裏面扉を開けて当該遮断器に対応する裏側カバーを取り外すことにより、安全で、且つ、他の２台の遮断器から負荷に給電を続けることができる配電盤を提供できるという効果も奏する。
【発明を実施するための最良の形態】
【００１０】
本発明の実施の形態を、図１及び図２に示されている実施例において説明する。
図１及び図２を参照して、本実施例の配電盤は、下部水平枠部材１及び上部水平枠部材２、正面から見たとき左側及び右側に位置する正面側垂直枠部材３及び裏面側垂直枠部材４並びに下部水平枠部材１と上部水平枠部材２との間に設けられる断面がＬ字状の垂直枠部材５，６を含む枠部材を有している。
【００１１】
この配電盤の正面側には３台の三相の遮断器８が、正面側から見たとき左右方向に並んで設置されている。各遮断器８には、上側及び下側に位置する板状のそれぞれ出力端子９及び入力端子１０が、幅面が鉛直面となるようにその背面から突き出るように取り付けられている。出力端子９には、主母線などを介して負荷装置に接続される、図示されていない帯板状の導体が接続される。一方、入力端子１０には、略矩形の接続板１１が遮断器８を延長するように配電盤の裏面に向かって取り付けられており、外部の発電機に接続されている図示されていない外部ケーブルを接続するための多数の孔１１ａが接続板１１の下辺に沿って形成されている。なお、隣り合う遮断器８及び接続板１１は配電盤の奥行き方向の仕切り板によって互いに隔離されている。
【００１２】
上述の接続板１１には、第１の絶縁部材たる碍子１２，１３を取り付けるためのいずれも断面がＬ字状のそれぞれ碍子取付金具１４，１５がその上辺に取り付けられており、第２の絶縁部材たる碍子１６を取り付けるための断面がＬ字状の碍子取付金具１７がその延長端部に取り付けられている。
接続板１１の上辺の碍子１２，１３は、上方から落下する異物から接続板１１を保護する上部カバー１８に固定される。上部カバー１８は、配電盤の正面又は裏面から見たとき、３台の遮断器８に共通の左右に長い矩形の部材であって、その水平面１８ａの左右両端の直角に折り曲げられて形成された上部カバー取付面１８ｂにおいて、左右の垂直枠部材６と裏面側垂直枠部材４の垂直方向の折曲片４ａに固定される。
上部カバー１８には碍子取付面１８ｃ及び碍子取付面１８ｄが、接続板１１と直交する水平面１８ａの二つの長辺から下方に直角に曲げられ、さらに直角に曲げられて水平面１８ａと平行な面になるよう形成されており、それぞれ碍子１２，１３をねじで固定している。なお、図２（ａ）では、碍子１２，１３，１６及び碍子取付金具１５，１７の図示が省略されている。
【００１３】
人が配電盤の裏面から接続板１１に不用意に触れることによる感電事故を防止する裏側カバー１９は、配電盤を裏面から見たとき矩形の鉛直面１９ａを有し、この鉛直面１９ａに碍子１６がねじで固定されている。この裏側カバー１９は、その上辺から直角に曲げて形成された水平面１９ｂにおいて上部カバー１８の水平面１８ａにねじで着脱自在に取り付けられており、鉛直面１９ａの他の三辺に直角曲げ片が形成され強度が確保されている。
【００１４】
以上のように構成されているこの実施例の配電盤は、３台の遮断器８に対応するそれぞれの接続板１１に共通であって配電盤への取付が簡単な上部カバー１８を利用して、曲げ加工されて形成された碍子取付面１８ｃ及び碍子取付面１８ｄの２点でそれぞれの接続板１１を確実に固定できる。また、当該１台の遮断器８だけをＯＦＦにするとともに対応する発電機だけを無励磁にして、当該遮断器８に対応する裏側カバー１９を上部カバー１８及び碍子１６から取り外せば、他の発電機より負荷に電力を給電しながら、遮断器８に対応する接続板１１と外部ケーブルの接続状態を点検したり保守することができる。なお、この実施例の裏側カバー１９の鉛直面１９ａには小窓１９ｃが形成されており、裏側カバー１９を取り外すことなく目視の点検だけは可能である。
さらに、この実施例の配電盤では、上部カバー１８の水平面１８ａにくりぬかれたような矩形の孔１８ｅが形成され、裏側カバー１９の水平面１９ｂに形成された切欠き１９ｄと協働して、接続板１１に接続される細い制御線を導出する矩形の配線孔２０を形成しているため、配電盤内の制御線を整然と配置できる。
【００１５】
また、この発明によれば、碍子取付面１８ｃや碍子取付面１８ｄを、図２において左方向に延長したり、逆方向に折り曲げたりすることによって、碍子１２や碍子１３の取付位置を変更したり、追加の碍子を取り付けて接続板１１の取付強度を大きくすることも可能である。
【図面の簡単な説明】
【００１６】
【図１】本実施例の配電盤の内部の要部を示す（ａ）側面図及び（ｂ）裏面図である。
【図２】図１から本発明の主要構成部材である接続板、上部カバー、裏側カバーなどを取り出して遮断器１台分について示した（ａ）平面図及び（ｂ）側面図である。
【図３】従来の配電盤の内部を示す（ａ）側面図及び（ｂ）裏面図である。
【符号の説明】
【００１７】
１  下部水平枠部材
２  上部水平枠部材
３  正面側垂直枠部材
４  裏面側垂直枠部材
４ａ  折曲片
５，６  垂直枠部材
８  遮断器
９  出力端子
１０  入力端子
１１  接続板
１１ａ  孔
１２，１３，１６  碍子
１４，１５，１７  碍子取付金具
１８  上部カバー
１８ａ  水平面
１８ｂ  上部カバー取付面
１８ｃ，１８ｄ  碍子取付面
１８ｅ  矩形の孔
１９  裏側カバー
１９ａ  鉛直面
１９ｂ  水平面
１９ｃ  小窓
１９ｄ  切欠き
２０  配線孔
【図１】
0004625385.tif 000002
【図２】
0004625385.tif 000003
【図３】
0004625385.tif 000004